【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
１４０，０００ダルトン以下の分子量（Ｍｗ）および２．０未満の多分散指数（ＰＤＩ）を有するポリ（Ｄ，Ｌ−ラクチド−コ−グリコリド−コ−ε−カプロラクトン）であって；前記ポリ（Ｄ，Ｌ−ラクチド−コ−グリコリド−コ−ε−カプロラクトン）が、３０℃において約０．１Ｈｚから約１Ｈｚの周波数にわたって、約１．５×１０５Ｐａから約５．５×１０５Ｐａの貯蔵弾性率（Ｇ’）値を示し；約１０２Ｈｚから約１０４Ｈｚの周波数にわたって、約１．０×１０６Ｐａから約４．０×１０６Ｐａの貯蔵弾性率（Ｇ’）値を示す、ポリ（Ｄ，Ｌ−ラクチド−コ−グリコリド−コ−ε−カプロラクトン）。
【請求項２】
２０モル％から４０モル％のＤ，Ｌ−ラクチド、１０モル％から３０モル％のＤ，Ｌ−グリコリド、および４０モル％から６０モル％のε−カプロラクトンを含んでなる請求項１に記載のポリ（Ｄ，Ｌ−ラクチド−コ−グリコリド−コ−ε−カプロラクトン）。
【請求項３】
６０，０００ダルトンから１３０，０００ダルトンの分子量（Ｍｗ）を有する請求項１または２に記載のポリ（Ｄ，Ｌ−ラクチド−コ−グリコリド−コ−ε−カプロラクトン）。
【請求項４】
（ａ）７５，０００ダルトンから２５０，０００ダルトンの分子量（Ｍｗ）および２．０未満の多分散指数（ＰＤＩ）を有する第一のポリ（Ｄ，Ｌ−ラクチド−コ−グリコリド−コ−ε−カプロラクトン）と、
（ｂ）１３０，０００ダルトン以下の分子量（Ｍｗ）および２．０未満の多分散指数（ＰＤＩ）を有する第二のポリ（Ｄ，Ｌ−ラクチド−コ−グリコリド−コ−ε−カプロラクトン）とを含んでなる配合物であって、
前記第二のポリ（Ｄ，Ｌ−ラクチド−コ−グリコリド−コ−ε−カプロラクトン）が、前記第一のポリ（Ｄ，Ｌ−ラクチド−コ−グリコリド−コ−ε−カプロラクトン）未満の分子量（Ｍｗ）を有し、
前記第一のポリ（Ｄ，Ｌ−ラクチド−コ−グリコリド−コ−ε−カプロラクトン）対前記第二のポリ（Ｄ，Ｌ−ラクチド−コ−グリコリド−コ−ε−カプロラクトン）の重量比が、約９０：１０から約６０：４０である配合物。
【請求項５】
前記第一のポリ（Ｄ，Ｌ−ラクチド−コ−グリコリド−コ−ε−カプロラクトン）対前記第二のポリ（Ｄ，Ｌ−ラクチド−コ−グリコリド−コ−ε−カプロラクトン）の重量比が、約８５：１５から約７０：３０である請求項４に記載の配合物。
【請求項６】
前記第一のポリ（Ｄ，Ｌ−ラクチド−コ−グリコリド−コ−ε−カプロラクトン）が、１００，０００ダルトンから１３０，０００ダルトンの分子量（Ｍｗ）を有する請求項４または５に記載の配合物。
【請求項７】
前記第二のポリ（Ｄ，Ｌ−ラクチド−コ−グリコリド−コ−ε−カプロラクトン）が、６０，０００ダルトンから１３０，０００ダルトンの分子量（Ｍｗ）を有する請求項４〜６のいずれか一項に記載の配合物。
【請求項８】
形状適合性裏地部材；および
感圧接着剤（ＰＳＡ）を含んでなる物品であって、前記感圧接着剤（ＰＳＡ）が、請求項１〜３のいずれか一項に記載の前記ポリ（Ｄ，Ｌ−ラクチド−コ−グリコリド−コ−ε−カプロラクトン）または請求項４〜７のいずれか一項に記載の配合物のいずれかを含んでなり、前記形状適合性裏地部材にコーティングされた表面を有し、
前記ＰＳＡが、前記形状適合性裏地部材の表面積の０．１％から１００％をコーティングする物品。
【請求項９】
前記ＰＳＡが、生物活性剤をさらに含んでなる請求項８に記載の物品。
【請求項１０】
剥離ライナーが、前記感圧接着剤の接着表面に接着された表面を有する請求項８または９に記載の物品。
【請求項１１】
前記物品が、創傷被覆材である請求項８〜１０のいずれか一項に記載の物品。
【請求項１２】
前記ＰＳＡが、グルコン酸クロルヘキシジンとの含浸を含んでなる請求項８〜１１のいずれか一項に記載の物品。
【請求項１３】
前記物品が、内部組織または骨の周囲に巻き付けられる請求項８〜１２のいずれか一項に記載の物品。
【請求項１４】
前記内部組織が、切除術を受けた腸である請求項１３に記載の物品。
【請求項１５】
前記物品が、骨折、亀裂を含んでなる骨、または治療を必要とする骨の周囲に巻き付けられる請求項１３に記載の物品。
【請求項１６】
前記形成物品がエンベロープである請求項８〜１５のいずれか一項に記載の物品。
【請求項１７】
前記形成物品が、生物活性剤を含んでなるゲルまたは液体を含有する請求項８〜１５のいずれか一項に記載の物品。
【手続補正２】
【補正対象書類名】明細書
【補正対象項目名】００１０
【補正方法】変更
【補正の内容】
【００１０】
開示された物品は、開示されたＰＳＡが表面をコーティングしている基材を含んでなる。
特定の実施形態では、例えば以下が提供される：
（項目１）
１４０，０００ダルトン以下の分子量（Ｍｗ）および２．０未満の多分散指数（ＰＤＩ）を有するポリ（Ｄ，Ｌ−ラクチド−コ−グリコリド−コ−ε−カプロラクトン）であって；前記ポリ（Ｄ，Ｌ−ラクチド−コ−グリコリド−コ−ε−カプロラクトン）が、３０℃において約０．１Ｈｚから約１Ｈｚの周波数にわたって、約１．５×１０５Ｐａから約５．５×１０５Ｐａの貯蔵弾性率（Ｇ’）値を示し；約１０２Ｈｚから約１０４Ｈｚの周波数にわたって、約１．０×１０６Ｐａから約４．０×１０６Ｐａの貯蔵弾性率（Ｇ’）値を示す、ポリ（Ｄ，Ｌ−ラクチド−コ−グリコリド−コ−ε−カプロラクトン）。
（項目２）
１０モル％から６０モル％のＤ，Ｌ−ラクチド、１０モル％から５０モル％のＤ，Ｌ−グリコリド、および１０モル％から８０モル％のε−カプロラクトンを含んでなる項目１に記載のポリ（Ｄ，Ｌ−ラクチド−コ−グリコリド−コ−ε−カプロラクトン）。
（項目３）
２０モル％から４０モル％のＤ，Ｌ−ラクチド、１０モル％から３０モル％のＤ，Ｌ−グリコリド、および４０モル％から６０モル％のε−カプロラクトンを含んでなる項目１または２に記載のポリ（Ｄ，Ｌ−ラクチド−コ−グリコリド−コ−ε−カプロラクトン）。
（項目４）
３０モル％のＤ，Ｌ−ラクチド、２０モル％のＤ，Ｌ−グリコリド、および５０モル％のε−カプロラクトンを含んでなる項目１〜３のいずれか一項に記載のポリ（Ｄ，Ｌ−ラクチド−コ−グリコリド−コ−ε−カプロラクトン）。
（項目５）
６０，０００ダルトンから１３０，０００ダルトンの分子量（Ｍｗ）を有する項目１〜４のいずれか一項に記載のポリ（Ｄ，Ｌ−ラクチド−コ−グリコリド−コ−ε−カプロラクトン）。
（項目６）
１．５から１．８の範囲の多分散指数（ＰＤＩ）を有する項目１〜５のいずれか一項に記載のポリ（Ｄ，Ｌ−ラクチド−コ−グリコリド−コ−ε−カプロラクトン）。
（項目７）
（ａ）７５，０００ダルトンから２５０，０００ダルトンの分子量（Ｍｗ）および２．０未満の多分散指数（ＰＤＩ）を有する第一のポリ（Ｄ，Ｌ−ラクチド−コ−グリコリド−コ−ε−カプロラクトン）と、
（ｂ）１３０，０００ダルトン以下の分子量（Ｍｗ）および２．０未満の多分散指数（ＰＤＩ）を有する第二のポリ（Ｄ，Ｌ−ラクチド−コ−グリコリド−コ−ε−カプロラクトン）とを含んでなる配合物であって、
前記第二のポリ（Ｄ，Ｌ−ラクチド−コ−グリコリド−コ−ε−カプロラクトン）が、前記第一のポリ（Ｄ，Ｌ−ラクチド−コ−グリコリド−コ−ε−カプロラクトン）未満の分子量（Ｍｗ）を有し、
前記第一のポリ（Ｄ，Ｌ−ラクチド−コ−グリコリド−コ−ε−カプロラクトン）対前記第二のポリ（Ｄ，Ｌ−ラクチド−コ−グリコリド−コ−ε−カプロラクトン）の重量比が、約９０：１０から約６０：４０である配合物。
（項目８）
前記第一のポリ（Ｄ，Ｌ−ラクチド−コ−グリコリド−コ−ε−カプロラクトン）対前記第二のポリ（Ｄ，Ｌ−ラクチド−コ−グリコリド−コ−ε−カプロラクトン）の重量比が、約８５：１５から約７０：３０である項目７に記載の配合物。
（項目９）
前記第一のポリ（Ｄ，Ｌ−ラクチド−コ−グリコリド−コ−ε−カプロラクトン）が、１００，０００ダルトンから１３０，０００ダルトンの分子量（Ｍｗ）を有する項目７または８に記載の配合物。
（項目１０）
前記第二のポリ（Ｄ，Ｌ−ラクチド−コ−グリコリド−コ−ε−カプロラクトン）が、６０，０００ダルトンから１３０，０００ダルトンの分子量（Ｍｗ）を有する項目７〜９のいずれか一項に記載の配合物。
（項目１１）
前記第一のポリ（Ｄ，Ｌ−ラクチド−コ−グリコリド−コ−ε−カプロラクトン）が、１．５から１．８の範囲の多分散指数（ＰＤＩ）を有する項目７〜１０のいずれか一項に記載の配合物。
（項目１２）
（ａ）７５，０００ダルトンから２５０，０００ダルトンの分子量および２．０未満の多分散指数（ＰＤＩ）を有するポリ（Ｄ，Ｌ−ラクチド−コ−グリコリド−コ−ε−カプロラクトン）と、
（ｂ）２５，０００ダルトン未満の分子量および２．０未満の多分散指数（ＰＤＩ）を有するポリ（Ｄ，Ｌ−ラクチド−コ−グリコリド−コ−ｍＰＥＧ）とを含んでなる配合物であって、
前記ポリ（Ｄ，Ｌ−ラクチド−コ−グリコリド−コ−ε−カプロラクトン）対前記ポリ（Ｄ，Ｌ−ラクチド−コ−グリコリド−コ−ｍＰＥＧ）の重量比が、約９５：５から約７５：２５である配合物。
（項目１３）
前記ポリ（Ｄ，Ｌ−ラクチド−コ−グリコリド−コ−ε−カプロラクトン）対前記ポリ（Ｄ，Ｌ−ラクチド−コ−グリコリド−コ−ｍＰＥＧ）の重量比が、約９０：１０から約８５：１５である項目１２に記載の配合物。
（項目１４）
前記ポリ（Ｄ，Ｌ−ラクチド−コ−グリコリド−コ−ε−カプロラクトン）が、１００，０００ダルトンから１３０，０００ダルトンの分子量（Ｍｗ）を有する項目１２または１３に記載の配合物。
（項目１５）
前記ポリ（Ｄ，Ｌ−ラクチド−コ−グリコリド−コ−ｍＰＥＧ）が、１０，０００ダルトンから２０，０００ダルトンの分子量（Ｍｗ）を有する項目１２〜１４のいずれか一項に記載の配合物。
（項目１６）
前記ポリ（Ｄ，Ｌ−ラクチド−コ−グリコリド−コ−ε−カプロラクトン）が、１．５から１．８の範囲の多分散指数（ＰＤＩ）を有する項目１２〜１５のいずれか一項に記載の配合物。
（項目１７）
前記ポリ（Ｄ，Ｌ−ラクチド−コ−グリコリド−コ−ｍＰＥＧ）が、１．４から１．７の範囲の多分散指数（ＰＤＩ）を有する項目１２〜１６のいずれか一項に記載の配合物。
（項目１８）
形状適合性裏地部材；および
感圧接着剤（ＰＳＡ）を含んでなる物品であって、前記感圧接着剤（ＰＳＡ）が、項目１〜１７に記載の前記ポリ（Ｄ，Ｌ−ラクチド−コ−グリコリド−コ−ε−カプロラクトン）または配合物のいずれかを含んでなり、前記形状適合性裏地部材にコーティングされた表面を有し、
前記ＰＳＡが、前記形状適合性裏地部材の表面積の０．１％から１００％をコーティングする物品。
（項目１９）
前記ＰＳＡが、生物活性剤をさらに含んでなる項目１８に記載の物品。
（項目２０）
剥離ライナーが、前記感圧接着剤の接着表面に接着された表面を有する項目１８または１９に記載の物品。
（項目２１）
前記形状適合性裏地部材が、生物活性層をさらに含んでなる項目１８〜２０のいずれか一項に記載の物品。
（項目２２）
前記物品が、創傷被覆材である項目１８〜２１のいずれか一項に記載の物品。
（項目２３）
前記ＰＳＡが、創傷治癒を向上させる酵素阻害剤を含んでなる項目１８〜２２のいずれか一項に記載の物品。
（項目２４）
前記ＰＳＡが、グルコン酸クロルヘキシジンとの含浸を含んでなる項目１８〜２３のいずれか一項に記載の物品。
（項目２５）
前記物品が、抗菌性担体である項目１８〜２４のいずれか一項に記載の物品。
（項目２６）
前記物品が、褥瘡性潰瘍を治療するために使用される項目２５に記載の物品。
（項目２７）
前記形状適合性裏地部材が、ガーゼを含んでなる項目１８〜２６のいずれか一項に記載の物品。
（項目２８）
前記物品が、内部組織または骨の周囲に巻き付けられる項目１８〜２７のいずれか一項に記載の物品。
（項目２９）
前記内部組織が、切除術を受けた腸である項目２８に記載の物品。
（項目３０）
前記物品が、骨折、亀裂を含んでなる骨、または治療を必要とする骨の周囲に巻き付けられる項目２８に記載の物品。
（項目３１）
前記物品が、密封性包装品へと形成される項目１８〜３０のいずれか一項に記載の物品。
（項目３２）
前記形成物品がエンベロープである項目３１に記載の物品。
（項目３３）
前記形成物品が、生物活性剤を含んでなるゲルまたは液体を含有する項目３１に記載の物品。
（項目３４）
前記物品がおむつである項目１８〜３３のいずれか一項に記載の物品。
（項目３５）
前記おむつの端部または継ぎ目が、前記ＰＳＡにより接着されている項目３４に記載の物品。
（項目３６）
前記物品が、堆肥化可能なパッキングである項目１８〜３５のいずれか一項に記載の物品。
（項目３７）
前記堆肥化可能なパッキングの端部または継ぎ目が、前記ＰＳＡにより接着されている項目３６に記載の物品。